(57)【要約】【課題】  インターネット上に流通している膨大な数のカメラサーバを制御するカメラ制御情報やカメラサーバの制御権を複数組み合わせて、カメラサーバを適切にかつ簡便に制御できるようにする。【解決手段】  複数の映像クリップから接続先カメラ情報を抽出する接続先抽出手段と、上記映像クリップからカメラ制御情報を抽出する制御情報抽出手段と、上記制御情報抽出手段によって抽出されたカメラ制御情報を、上記接続先抽出手段によって抽出された接続先のカメラ装置に適用するカメラ制御適用手段とを設け、ネットワーク５０上に配置されたカメラサーバ１０１、１０２への選択的なアクセス、及びカメラ制御を簡便に行うことができるようにする。【選択図】  図１
2005341396.tif 000002
【特許請求の範囲】
【請求項１】
複数の映像クリップを保持する映像通信装置であって、
上記複数の映像クリップのうちの第１の映像クリップから接続先カメラ情報を抽出する接続先抽出手段と、
上記第１の映像クリップとは異なる第２の映像クリップからカメラ制御情報を抽出する制御情報抽出手段と、
上記制御情報抽出手段によって抽出されたカメラ制御情報を、上記接続先抽出手段によって抽出された接続先のカメラ装置に適用するカメラ制御適用手段とを備えることを特徴とする映像通信装置。
【請求項２】
上記制御情報抽出手段は、上記カメラ制御情報を複数の映像クリップから抽出し、得られた各映像クリップのカメラ制御情報を組み合わせて利用することを特徴とする請求項１に記載の映像通信装置。
【請求項３】
上記接続先抽出手段と上記制御情報抽出手段は、上記制御情報抽出手段の入力となる映像クリップを、上記接続先抽出手段の入力となる映像クリップへとドラッグアンドドロップすることで入力映像クリップを決定することを特徴とする請求項１に記載の映像通信装置。
【請求項４】
上記カメラ制御適用手段は、上記接続先抽出手段によって得られた接続先カメラ情報と、上記制御情報抽出手段によって得られたカメラ制御情報とを、上記映像クリップを生成する際に適用することを特徴とする請求項１〜３の何れか１項に記載の映像通信装置。
【請求項５】
上記カメラ制御適用手段は、上記接続先抽出手段によって得られた接続先カメラ情報と、上記制御情報抽出手段によって得られたカメラ制御情報とを、ライブ映像配信開始に際して適用することを特徴とする請求項１〜３の何れか１項に記載の映像通信装置。
【請求項６】
上記カメラ制御適用手段は、上記制御情報抽出手段によって得られたカメラ制御情報を、既存ライブ映像配信に適用することを特徴とする請求項１〜３の何れか１項に記載の映像通信装置。
【請求項７】
上記制御情報抽出手段によって得られたカメラ制御情報を使って行う自動制御を一時停止することで、ユーザ自身によるカメラ制御が自動制御に割り込むようにしたを特徴とする請求項１〜６の何れか１項に記載の映像通信装置。
【請求項８】
上記制御情報抽出手段によって得られたカメラ制御情報を使って行う自動制御と、ユーザ自身によるカメラ制御とを排他的に実行することを特徴とする請求項１〜６の何れか１項に記載の映像通信装置。
【請求項９】
複数の映像クリップを保持する映像通信装置における映像通信方法であって、
上記複数の映像クリップのうちの第１の映像クリップから接続先カメラ情報を抽出する接続先抽出工程と、
上記第１の映像クリップとは異なる映像クリップからカメラ制御情報を抽出する制御情報抽出工程と、
上記制御情報抽出工程によって抽出されたカメラ制御情報を、上記接続先抽出工程によって抽出された接続先のカメラ装置に適用するカメラ制御適用工程とを有することを特徴とする映像通信方法。
【請求項１０】
上記制御情報抽出工程においては、上記カメラ制御情報を複数の映像クリップから抽出し、得られた各映像クリップのカメラ制御情報を組み合わせて利用することを特徴とする請求項９に記載の映像通信方法。
【請求項１１】
上記接続先抽出工程と上記制御情報抽出工程は、上記制御情報抽出工程の入力となる映像クリップを、上記接続先抽出工程の入力となる映像クリップへとドラッグアンドドロップすることで入力映像クリップを決定することを特徴とする請求項９に記載の映像通信方法。
【請求項１２】
上記カメラ制御適用工程においては、上記接続先抽出工程によって得られた接続先カメラ情報と、上記制御情報抽出工程によって得られたカメラ制御情報とを、上記映像クリップを生成する際に適用することを特徴とする請求項９〜１１の何れか１項に記載の映像通信方法。
【請求項１３】
上記カメラ制御適用工程においては、上記接続先抽出工程によって得られた接続先カメラ情報と、上記制御情報抽出工程によって得られたカメラ制御情報とを、ライブ映像配信開始に際して適用することを特徴とする請求項９〜１１の何れか１項に記載の映像通信方法。
【請求項１４】
上記カメラ制御適用工程においては、上記制御情報抽出工程によって得られたカメラ制御情報を、既存ライブ映像配信に適用することを特徴とする請求項９〜１１の何れか１項に記載の映像通信方法。
【請求項１５】
上記制御情報抽出工程によって得られたカメラ制御情報を使って行う自動制御を一時停止することで、ユーザ自身によるカメラ制御が自動制御に割り込むようにしたを特徴とする請求項９〜１４の何れか１項に記載の映像通信方法。
【請求項１６】
上記制御情報抽出工程によって得られたカメラ制御情報を使って行う自動制御と、ユーザ自身によるカメラ制御とを排他的に実行することを特徴とする請求項９〜１４の何れか１項に記載の映像通信方法。
【請求項１７】
複数の映像クリップを保持する映像通信装置における映像通信方法をコンピュータに実行させるプログラムであって、
上記複数の映像クリップのうちの第１の映像クリップから接続先カメラ情報を抽出する接続先抽出工程と、
上記第１の映像クリップとは異なる第２の映像クリップからカメラ制御情報を抽出する制御情報抽出工程と、
上記制御情報抽出工程によって抽出されたカメラ制御情報を、上記接続先抽出工程によって抽出された接続先のカメラ装置に適用するカメラ制御適用工程とをコンピュータに実行させることを特徴とするコンピュータプログラム。
【請求項１８】
上記請求項１７に記載のコンピュータプログラムを記録したことを特徴とするコンピュータ読み取り可能な記録媒体。
【発明の詳細な説明】
【技術分野】
【０００１】
本発明は映像通信装置、映像通信方法、コンピュータプログラム及びコンピュータ読み取り可能な記録媒体に関し、特に、カメラ装置などのライブ映像ソースの制御情報を反映して作成された複数の映像データを組み合わせて映像クリップを作成するために用いて好適な技術に関する。
【背景技術】
【０００２】
近年、インターネットが広く普及し始め、インターネットによって多くの情報やサービスが提供されている。一方、映像のデジタル化、圧縮技術の進展に伴い、従来のような大容量の通信回線ではなく伝送速度の低い通信回線においても映像を送ることが可能になった。このような技術の進展により、インターネットによる映像配信が提案されている。
【０００３】
上記のような映像配信サービスを行う場合においては、撮影したライブ映像を、インターネットなどの通信インフラストラクチャを使って配信するとともに、撮影のためのカメラ設定やカメラ操作などを指示する技術が用いられている。また、上記映像配信に加えて、パン、チルト、ズーム、逆光補正といったカメラ制御を、ネットワークを介して行っている。
【０００４】
さらに、カメラ制御によって撮像される領域に関しても制限することが可能になっている。例えば、特権ユーザでは、カメラに備わるズーム機能のすべてを利用できるが、通常ユーザは、ズーム機能の一部(たとえば、テレ端を使い切れない)のみ利用可能とするような制限である。パン機能やチルト機能についても同様である。上記インターネットを利用して映像配信する技術として、例えば、特許文献１が提案されている。
【０００５】
【特許文献１】特開２００２−１９９３７７号公報
【発明の開示】
【発明が解決しようとする課題】
【０００６】
インターネット上でサービスされている膨大な数のカメラ制御可能なカメラサーバの映像情報を映像クリップとして提供する場合、映像情報に付帯するカメラ制御情報(パン、チルト、ズーム、あるいは、制御権などの情報)が適切に利用できないという問題があった。あるいは、利用できた場合でも、そこに含まれるカメラ制御情報を相互に組み合わせて利用することが困難である問題があった。
【０００７】
また、携帯電話端末などのように、限られたユーザインターフェースしか備えていない機器では、複雑なカメラ制御情報を入力することが困難である問題もあった。
本発明は、このような問題にかんがみてなされたものであり、インターネット上に流通している膨大な数のカメラサーバを制御するカメラ制御情報やカメラサーバの制御権を複数組み合わせて、カメラサーバを適切にかつ簡便に制御できるようにすることを目的とする。
【課題を解決するための手段】
【０００８】
本発明の映像通信装置は、複数の映像クリップを保持する映像通信装置であって、上記映像クリップから接続先カメラ情報を抽出する接続先抽出手段と、上記映像クリップからカメラ制御情報を抽出する制御情報抽出手段と、上記制御情報抽出手段によって抽出されたカメラ制御情報を、上記接続先抽出手段によって抽出された接続先のカメラ装置に適用するカメラ制御適用手段とを備えることを特徴としている。
【０００９】
本発明の映像通信方法は、複数の映像クリップを保持する映像通信装置における映像通信方法であって、上記映像クリップから接続先カメラ情報を抽出する接続先抽出工程と、上記映像クリップからカメラ制御情報を抽出する制御情報抽出工程と、上記制御情報抽出工程によって抽出されたカメラ制御情報を、上記接続先抽出工程によって抽出された接続先のカメラ装置に適用するカメラ制御適用工程とを有することを特徴としている。
【００１０】
本発明のコンピュータプログラムは、複数の映像クリップを保持する映像通信装置における映像通信方法をコンピュータに実行させるプログラムであって、上記映像クリップから接続先カメラ情報を抽出する接続先抽出工程と、上記映像クリップからカメラ制御情報を抽出する制御情報抽出工程と、上記制御情報抽出工程によって抽出されたカメラ制御情報を、上記接続先抽出工程によって抽出された接続先のカメラ装置に適用するカメラ制御適用工程とをコンピュータに実行させることを特徴としている。
【００１１】
本発明の記録媒体は、上記に記載のコンピュータプログラムを記録したことを特徴としている。
【発明の効果】
【００１２】
本発明によれば、カメラ制御情報を含む映像クリップを複数保持する映像通信装置において、上記保持する映像クリップを相互に適用できるようにしたので、ネットワーク上に配置された膨大な数のカメラサーバ（映像ソース）への選択的なアクセスを容易に行うことができるようにするとともに、カメラ制御を簡便に行うようにすることができる。これにより、ネットワーク上のカメラサーバの制御を、簡便なユーザインターフェースにより行うことを可能となし、携帯電話端末のように、限られたユーザインターフェースしか備えていない機器においても、複雑なカメラ制御情報を入力することができる。また、膨大な数のカメラサーバの一覧性を改善することが可能になる。
【発明を実施するための最良の形態】
【００１３】
以下に、本発明の映像通信装置、映像通信方法、コンピュータプログラム及びコンピュータ読み取り可能な記録媒体の実施の形態を説明する。最初に、本発明の背景技術を説明する。
【００１４】
[第三世代携帯電話技術]
従来の携帯電話サービスよりも高い電波利用効率と通信帯域を備えた携帯電話サービスとして、第三世代(3G)の携帯電話サービスが提供されるようになっている。
【００１５】
第三世代(3G)の携帯電話では、電話通話しながらインターネットアクセスなどのデータ通信が可能となっている。例えば、あるサービスでは、マルチアクセスと呼ばれる接続形態を用意しており、これを利用することで、ウェブブラウジングなどのデータ通信を行いながら、電話通話を可能にしている。
【００１６】
さらに、第三世代携帯電話端末では、端末自体の処理能力も強化されており、これまでPC(パーソナルコンピュータ)などで行っていた作業を、携帯電話端末で処理することが可能になっている。例えば、メールやウェブブラウジング及び映像送受信などの機能を実装している携帯電話端末が提供されている。
【００１７】
また、第三世代携帯電話サービスでは、映像配信のサービスも行われている。
【００１８】
[MPEG-4コーデック]
動体通信網に接続する携帯情報端末から広帯域インターネットに接続するパーソナルコンピュータまでの映像送受信端末の広がりを受けて、数十kpbsから数十Mbpsの広いビットレートをカバーする高圧縮符号化効率、及び、無線やインターネットなどの伝送路誤りに対する強い耐性などを備えた動画像圧縮符号化方式として、ISOで1999年にMPEG-4が制定されている。
【００１９】
第三世代(3G)携帯電話サービスでは、携帯電話端末(ビジュアル端末)間でこのMPEG-4を用いて相互に映像を送受信するサービスを提供している。
【００２０】
[携帯電話向けMPEG-4クリップ技術]
携帯電話端末に映像クリップ(ファイル)を表示する技術がすでに提供されている。
【００２１】
これらのサービスでは、MPEG-4コーデックなどで圧縮符号化された映像データ(映像クリップあるいは映像ファイル)をサーバに保存し、携帯電話端末に内蔵するデータ通信機能を使ってサーバからダウンロードした上で、同じく携帯電話端末に内蔵するデコーダを使って映像を携帯電話端末の画面に表示する。
【００２２】
また、これらの映像クリップのデータフォーマットは、マイクロソフト社のASF (Advanced Streaming Format) 形式や、ISO標準のMP4形式(ISO/IEC14496-1 Amd1 MPEG-4システム Version2) など、インターネットやパーソナルコンピュータなどで広く普及している形式に準拠している。また、これらのサービスでは、いずれも映像クリップのデータ量の上限が決められている。
【００２３】
[映像クリップへのリンクやコマンドの関連付け技術]
マイクロソフト社のASF (Advanced Streaming Format) 形式や Apple社 QuickTime File Formatなどでは、映像クリップにURLなどのハイパーリンク機能を関連付けることができる。
【００２４】
例えば、ASFでは、"Script Command Object"を定義することが可能であり、このオブジェクト内に、ASFファイル再生時のタイムラインに同期するように設定したリンク情報をリストできる。さらに、ASFでは、ScriptCommand Objectの名前のとおり、リンク情報ばかりでなく、スクリプトなどのコマンド情報も記述可能となっている。
【００２５】
[映像クリップへのカメラ制御シーケンス組み込み技術]
ここでは、映像クリップが生成された時点でのカメラ制御情報シーケンスを、映像クリップの時系列に沿って、映像内容と同期するよう映像クリップに組み込む方法が示されている。さらに、そのカメラ制御情報シーケンスを、映像クリップ再生時点でカメラサーバに適用し、カメラ制御情報シーケンスに沿って制御したライブ映像を取得する方法が示されている。
【００２６】
以下、本発明の映像通信装置、映像通信方法、コンピュータプログラム及びコンピュータ読み取り可能な記録媒体の実施の形態を、図面を参照して説明する。
[第１の実施の形態]
第１の実施の形態では、ネットワーク上に配置された多数のカメラサーバのライブ映像から生成したカメラ制御情報付き映像クリップを複数組み合わせて利用する例について説明する。
【００２７】
この中で、複数の映像クリップを管理するビューワ上で、ある映像クリップAに別の映像クリップＢを適用すると、映像クリップAの映像ソースであるカメラサーバ１０１、１０２に接続した上で、映像クリップＢに含まれるカメラ制御情報を用いてカメラ制御し、適用時点でのカメラサーバ１０１、１０２のライブ映像を取得する点に特徴がある。
【００２８】
図１は、本発明を用いた実施の形態の典型的な利用形態を示した図である。図１において、ライブ映像通信システムによる第１のカメラサーバ１０１、第２のカメラサーバ１０２である。２００はネットワーク５０に接続されたパーソナルコンピュータなどにインストールされたビューワ（viewer：さまざまなデータファイルの内容を表示するソフトウェア。）である。
【００２９】
第１及び第２のカメラサーバ１０１、１０２とビューワ２００とはそれぞれネットワーク５０に接続され、ビューワ２００からネットワーク５０を介してリクエストがカメラサーバ１０１、１０２へ送られ、これが受け入れられるとカメラサーバ１０１、１０２からビューワ２００へ映像データが配送され、ビューワ２００でカメラ映像を表示することが可能となる。
【００３０】
また、ビューワ２００からカメラ制御コマンドがカメラサーバ１０１、１０２へ送られ、カメラのズーム、パン、チルトなどの操作が可能となる。さらに、ネットワーク５０上には、中継サーバ３００が置かれビューワ２００とカメラサーバ１０１、１０２との通信を中継することがある。
【００３１】
さらに、４００は本実施の形態による映像変換サーバであり、カメラサーバ１０１、１０２が提供する映像データを携帯電話端末向けに変換した上で、携帯電話向けに中継する。また、５００は本実施の形態のネットワーク５０と携帯電話回線網５５０とを仲介するゲートウェイであり、６０１は、本実施の形態のビューワ２００を搭載した第１の携帯電話端末、６０２は第２の携帯電話端末である。
【００３２】
このゲートウェイ５００を介して、本実施の形態のネットワーク５０に接続された機器と携帯電話端末６０１及び６０２とが通信可能となる。なお、携帯電話端末６０１、６０２上のビューワプログラムは、典型的には、工場出荷時にインストールされるが、Java（登録商標）プログラムのように実行時(利用時)にダウンロードされて実行される形態であってもよい。
【００３３】
図１のネットワーク５０は、企業あるいは組織内で運用されるイントラネットである場合もあり、広く世界をつないでいるインターネットである場合もある。また、中継サーバ３００や映像変換サーバ４００は、典型的には、インターネットイクスチェンジ(IX)やデータセンター(IDC : Internet Data Center)に配置され、通信負荷の軽減を図るよう設計される。
【００３４】
図２は、映像変換サーバ４００を構成可能なハードウェア構成の一例を示したものであり、サーバ向けコンピュータにより構成される。より詳細には、プログラムやデータを格納する記憶装置、ネットワーク５０と接続するためのネットワークI/F４１０、プログラムによる各種の処理を実行するＣＰＵ４２０などからなる。記憶装置は、主記憶装置となるＲＡＭ４３１、フラッシュメモリやＨＤ装置などからなる二次記憶装置４３２、及びプログラムを媒体からロードするためのＦＤ装置４３４等から構成される。
【００３５】
また、図示しないが、設定などを行うための入出力装置を備える場合もある。具体的には、ディスプレイを接続する表示装置、キーボードやマウスなどのコントローラなどである。
【００３６】
図３は、第１のカメラサーバ１０１、第２のカメラサーバ１０２を構成可能なハードウェア構成の一例を示した図である。
図３に示したように、本実施の形態においては、実際に撮像を行うカメラ装置１１０とコンピュータシステム１２０とにより構成されている。より詳細に説明すると、上記コンピュータシステム１２０は、プログラムやデータを格納する記憶装置、映像データを取り込むための映像キャプチャボード１２６、カメラ装置にコマンドを送るためのシリアルI/F１２７、ネットワーク５０と接続するためのネットワークI/F１２２、プログラムによる各種の処理を実行するＣＰＵ１２１等からなる。
【００３７】
記憶装置は、主記憶装置となるメモリ（ＲＡＭ）１２３、フラッシュメモリやＨＤ装置などからなる二次記憶装置１２４、及びプログラムを媒体からロードするためのＦＤ装置１２５などから構成される。
【００３８】
また、図示しないが、設定などを行うための入出力装置を備える場合もある。具体的には、ディスプレイを接続する表示装置、キーボードやマウスなどのコントローラなどである。さらに、図示しないが、第１及び第２のカメラサーバ１０１、１０２は、カメラ装置１１０とコンピュータシステム１２０とが一体化されたサーバ内蔵型ネットワークカメラで構成されてもよい。
【００３９】
図４は、ビューワ２００を動作させるハードウェア構成６１５の一例を示したブロック図であり、本実施の形態においては携帯電話端末を使ってビューワを動作させる場合について説明している。より詳細に説明すると、プログラムやデータを格納する記憶装置６１０、携帯電話網と接続するための無線通信I/F６２０、プログラムによる各種の処理を実行するＣＰＵ６３０、及び周辺コントローラ６３１、表示コントローラ６３２等からなる。記憶装置６１０は、主記憶装置となるＲＡＭ、フラッシュメモリなどからなる。
【００４０】
周辺装置は、携帯電話端末６０１、６０２上に配置されたボタン類６４１やスイッチ類６４２などの入力装置、ディスプレイなどの表示出力装置６５０、及びマイクロフォンやスピーカなどの音声入出力装置６６０を含む。
【００４１】
図５は、プログラムの構成する部分を模式化した図であり、カメラサーバ１０１、１０２内にはカメラの制御を司るカメラ制御サーバ１０１１と映像の配送を司る映像サーバ１０１２の２つのモジュールを含む。
【００４２】
同様に、携帯電話端末６０１（６０２）上で動作するビューワ２００内にはカメラ制御コマンドの発行やカメラ状態通知に対応するカメラ制御部２００１、映像クリップの表示を担当する映像表示部２００２、ならびに、複数の映像クリップを識別管理するための映像クリップ管理部２００３を含む。
【００４３】
さらに、映像変換サーバ４００には、カメラ制御コマンド列(以下、PTZシーケンスと呼ぶ)を解釈し、第１及び第２のカメラサーバ１０１、１０２にカメラ制御命令を発行するカメラ制御部４００１、第１及び第２のカメラサーバ１０１、１０２から映像を取得し、携帯電話向けに変換し、さらに、それを携帯電話網向け映像クリップに編集するモジュール(映像取得部４００２、映像変換部４００３、映像送信部４００４)がそれぞれ含まれる。
【００４４】
図６は、携帯電話上で映像クリップを再生表示する映像クリップビューワ２００の動作の流れを示すフローチャートである。
処理が開始されると、最初のステップＳ６０１で、先ず、映像変換サーバ４００の識別子を入手する。これは、ユーザが直接キー操作により識別子を入力するのでもよいし、メールやウェブページに含まれる識別子を選択するのであってもよい。また、この場合の識別子は、典型的には、映像変換サーバ４００を識別するＵＲＬである。
【００４５】
続いて、ステップＳ６０２で、映像変換サーバ４００が接続すべき第１及び第２のカメラサーバ１０１、１０２の識別子、上記第１及び第２のカメラサーバ１０１、１０２に指示するカメラ制御用のPTZシーケンス、及びユーザ識別子やパスワードなどアクセス制御用のユーザ識別情報を入手する。
【００４６】
上記第１及び第２のカメラサーバ１０１、１０２識別子やPTZシーケンスは、ユーザが直接キー操作によりカメラ制御コマンドを構成するよう入力するのでもよいし、メールやウェブページに含まれる第１及び第２のカメラサーバ１０１、１０２識別子やPTZシーケンスを選択するようにしてもよい。
【００４７】
また、PTZシーケンスは、空であっても構わない。この場合、カメラ制御を伴わない第１及び第２のカメラサーバ１０１、１０２の現状の映像クリップを意味する。また、ユーザ識別情報は、通常、ユーザが直接キー操作により入力するが、空であっても構わない。この場合、通常ユーザとしてのカメラサーバ１０１、１０２への接続を意味する。
【００４８】
続いて、ステップＳ６０３に進み、ゲートウェイ５００を経由して、入手した映像変換サーバ４００の識別子に基づき映像変換サーバ４００の映像送信部４００４に接続する。さらに、次のステップＳ６０４で、携帯電話ビューワ２００は、映像変換サーバ４００に映像クリップを要求する。この要求は、要求する映像クリップの作成方法の指定などを含み、典型的には、HTTPプロトコルに則り送信される。
【００４９】
この際、PTZシーケンスを入手している場合には、そのPTZシーケンスを映像変換サーバ４００に送信する。この要求及びPTZシーケンスの送信は、HTTP接続のGETメソッドでURLに組み込んでもよいし、HTTP接続のPOSTメソッドで送信されてもよい。ここでは、POSTメソッドで送信される場合について説明する。
【００５０】
例えば、以下の通りである。なお、実際には、URLエンコードが適用されるが、以下では、説明の都合上URLエンコードを適用していない部分もある。
POST /getvideoclip/ HTTP/1．1
Host: 202．28．30．208:8080
User-Agent: MozilePhone/2．0 C2101V(c100)
Pragma: no-cache
Videoencodeparam=QCIF:fps15．0:bps64000:intraframe5:me8
cameraservers=webview://vb101_4．x-zone．canon．co．jp:34560+34561+34562
PTZ=HZ15_30S3_40S4_40P-10_20
moviesizemax=240kbytes
notifyto=mailto:riyousha3@mailserver．usersite．co．jp
userid=331245
userpw=15215294
【００５１】
ただし、『videoencodeparam=』に続く部分は、映像変換サーバ４００が上記第１及び第２のカメラサーバ１０１、１０２から受け取ったソース映像を携帯電話向けにエンコードする際のパラメータ情報を指示するものである。また、『cameraservers=』に続く部分は、映像変換サーバ４００が接続する第１及び第２のカメラサーバ１０１、１０２を指定している。
【００５２】
また、『PTZ=』に続く部分は、映像変換サーバ４００が第１及び第２のカメラサーバ１０１、１０２に関して実行すべきカメラ制御のコマンドを並べたPTZシーケンスを指定している。また、『moviesizemax=』に続く部分は、携帯電話端末あるいは携帯電話網が規定する映像クリップの最大サイズを指定している。また、『notifyto=』に続く部分は、映像クリップ作成時に通知すべき連絡先である。典型的には、携帯電話端末ユーザのメイルアドレスを指定する。また、『userid=』と『userpw=』とに続く部分は、それぞれ、ユーザ識別子とパスワードとである。
【００５３】
この中で、PTZシーケンスの構成要素は、以下のような意味を持つ。nは、数値データ(正負あり)である。
Pn  パン(水平方向カメラ制御)指定．
Tn  チルト(垂直方向カメラ制御)指定．
Zn  ズーム指定．
Bn  逆光補正．逆光補正のON/OFF．
H  ホームポジション指定．
Sn  プリセット位置指定．n番目のプリセット位置．
Cn  カメラサーバ接続切換え指定．n番目のカメラサーバ．
Kn  カメラサーバ内カメラ切換え指定．n番目のカメラ．
_n  時間経過指定．0．1秒単位．
【００５４】
続いて、ステップＳ６０５で、映像変換サーバ４００からのレスポンスを待つ。そして、レスポンスを受け取ったらステップＳ６０６に進み、上記映像変換サーバ４００から受け取ったレスポンスを解釈して携帯電話端末の表示装置に表示する。この表示は、例えば図１５（ａ）の通りである。図１５は、再生すべき映像クリップを選択するための表示の一例である。
【００５５】
次に、ステップＳ６０７において、直ぐに取得可能であるか否かを判断する。この判断の結果、映像変換サーバ４００からのレスポンスが、何らかの理由からすぐに映像を生成できないことを示す内容であった場合には、ステップＳ６０８に進む。反対に、映像をすぐに生成できたことを示す内容であった場合には、ステップＳ６０９に進む。
【００５６】
ステップＳ６０８では、映像変換サーバ４００からのメール通知を待受ける。メール通知は、例えば、SMTP (Simple Mail Transfer Protocol)によるが、SMS(Short Message Service)であってもよい。メール通知を受け取った場合には、そのメール内容を映像変換サーバ４００からのレスポンスとして表示し、ステップＳ６０９に進む。例えば、図１５−（ｂ）の通りである。
【００５７】
また、ステップＳ６０９では、レスポンスに含まれる映像クリップの一つを選択し、ダウンロードして再生表示する。ここでは、ダウンロード完了を待っているが、映像クリップの再生表示処理は、ダウンロード完了を待たず、表示再生可能な映像クリップデータが揃った時点で、再生表示処理を開始してもよい。
【００５８】
なお、携帯電話ビューワでの映像クリップ表示中に、携帯電話端末ユーザがクリックした場合には、クリック時点に表示中の映像データ(映像区間、または映像セグメントと呼ぶことがある)に対応するリンク情報が映像クリップから抽出され、携帯電話端末に備わるブラウザ機能を使って、そのリンク情報が示すリンク先情報にアクセスする。リンク先情報へのアクセスでは、典型的には、カメラ制御を可能とする専用ビューワを起動するが、携帯電話端末の設定によっては、設定されたアクションを行う場合もある。例えば、アクセスされたリンク情報をメール添付したメールの発信である。
【００５９】
図１４は、第１及び第２のカメラサーバ１０１、１０２と通信しライブ映像の表示ならびにカメラ制御を行うライブ映像ビューワ２００の動作の流れを説明するフローチャートである。
ステップＳ６５１においては、起動時に指示された第１及び第２のカメラサーバ１０１、１０２を構成する映像サーバのアドレス及び接続ポートの情報に従い、映像サーバへ接続する。ここで、接続以降の処理を行うための動作プログラム（実現方法としては、スレッドあるいはプロセスの起動となる）が起動され、このプログラムは終了までステップＳ６６１の処理を繰り返す。ステップＳ６６１では、映像サーバからの映像データが届くたびにそれを受け取り表示する。
【００６０】
次に、メインのプログラムはステップＳ６５２に進み、同じく起動時に指示されたカメラ制御サーバのアドレス及び接続ポートの情報に従い、カメラ制御サーバへ接続する。そして、これ以降メインプログラムはユーザからの操作要求を受け付け、実行するメインループへ続く。
【００６１】
先ず、ステップＳ６５３でユーザの操作をキーボタン操作などから受け取る。これがカメラ制御に関する場合にはステップＳ６５４でカメラ制御サーバへコマンドを発行する。また、映像サーバに関する場合にはステップＳ６５５で映像サーバへコマンドを発行する。
【００６２】
また、ユーザの操作がビューワ２００の状態を変更する操作（例えば、表示サイズの変更操作など）の場合にはステップＳ６５６で内部状態を更新する。そして、ユーザの操作が終了の場合には、ステップＳ６５７でビューワ２００の動作に関連する各プログラムを順次終了する。ステップＳ６５４〜ステップＳ６５７の処理が完了するとステップＳ６５３へ戻り、ユーザの操作入力を待つ。
【００６３】
第１及び第２の携帯電話端末６０１、６０２上で動作するライブ映像ビューワ２００は、携帯電話端末の出荷時に備わるソフトウェアとして実装される場合もあるが、Java（登録商標）プログラムのようにネットワーク５０からダウンロードして実装されるソフトウェアである場合もある。
【００６４】
図７は、第１及び第２のカメラサーバ１０１、１０２内のカメラ制御サーバの動作を示したフローチャートである。
カメラ制御サーバは、起動した時に、先ず、ステップＳ７０１で特定のファイル（ＯＳによっては、レジストリなどのシステムデータベース）から第１及び第２のカメラ制御サーバ１０１、１０２の動作設定情報を読み出して、それに基づき動作を開始する。ここで、クライアントであるビューワプログラムや映像変換サーバ４００からのリクエストを受け付けるポートを開き、続いて、ステップＳ７０２のリクエスト受付状態に入る。
【００６５】
上記リクエスト受付状態に入った後、ステップＳ７０２１においてリクエスト受け付けの有無を判定する。そして、リクエストが有った場合にはステップＳ７０２２に進み、上記受け付けたリクエストが接続リクエストか否かを判定する（ステップＳ７０３）。この判定の結果、否ならばステップＳ７０３１に進んで接続拒否のエラーコードを返し、その後、ステップＳ７０２に戻る。
【００６６】
一方、ステップＳ７０３の判定の結果、可ならば、ステップＳ７０４に進んで接続処理を行い、クライアントからのコマンドの受付処理を行うスレッドを生成し、クライアントの登録を行ってから、ステップＳ７０２に戻る。
【００６７】
一方、生成されたスレッドでは、ステップＳ７０７で対応するクライアントからのコマンドの受付を行う。そして、コマンドが届いたならば、それを受け付け、カメラ操作を行う主プログラムへ受け渡す。
【００６８】
主プログラムは、ステップＳ７０２でこれを受ける。そして、ステップＳ７０２１の判定の結果、操作コマンドに対してはステップＳ７０５へ分岐し、操作コマンドを発行したスレッドが接続しているクライアントの権限に応じてカメラ操作を行って、その結果（操作が成功か失敗かを示すコードなど）をカメラ操作要求を受け付けたクライアント対応のスレッドへ伝える。
【００６９】
このクライアント対応のスレッドは、ステップＳ７０８で結果をクライアントへ送り返す。主プログラム部分では、ステップＳ７０６でカメラの操作により変化した状態（たとえば、パン・チルト・ズームの値、及び、禁止エリア検出の有無などを含むカメラ状態情報など）をすべてのクライアント対応のスレッドに伝える。各クライアント対応のスレッドはステップＳ７０９でカメラ制御状態の変化をクライアントへ通達する。
【００７０】
そして、クライアント対応のスレッドはクライアントから接続終了のコマンドを受けたならば、それを主プログラムへ通達し、さらにステップＳ７１０で自身のスレッドを終了する。
【００７１】
なお、操作コマンドの扱いにおいては、具体的な操作コマンドの発行の前に、カメラ操作権の割り当て要求を必要とすることも可能である。これは複数の人間がカメラの操作を要求するような状況での混乱を無くす。
【００７２】
この場合、先ず、クライアントからはカメラ操作権獲得の要求コマンドが発行され、これに対して、カメラ制御サーバは現在のカメラ制御権の割り当て状態から、拒絶・割り当て・順番待ちを選びクライアントへ返答する。
【００７３】
カメラ制御権は前もって定められた特定の時間か、クライアントが接続を終了するまでの短いほうの時間で剥奪され、次の順番待ちの人に割り当てられる。順番待ち人数はやはり前もって定められた人数（たとえば５人）に制限され、それ以上のリクエストは拒絶される。
【００７４】
クライアントは、カメラ制御権が獲得されてから剥奪されるまでの間だけ、操作コマンドを発行する。カメラ制御サーバはカメラ制御権が付与されているクライアントからの操作コマンドのみを受け付ける。
【００７５】
また、特権ユーザからの接続に関しては、優先的にカメラ操作権を割り当てられる点、及び、操作コマンドが、禁止エリアを含む撮像領域へのカメラ制御であっても許可される点などが、通常ユーザからの接続とは異なる。
【００７６】
図８は、第１及び第２のカメラサーバ１０１、１０２内の映像サーバの動作を示した流れ図である。映像サーバは、先ず、起動時にステップＳ８０１で特定のファイル（ＯＳによってはレジストリなどのシステムデータベース）から映像サーバの動作設定情報を読み出して、それに基づき動作を開始する。ここで、映像の獲得と符号化と蓄積を行うスレッドを生成し（最初このスレッドは休止状態）、クライアントであるビューワプログラムや映像変換サーバ４００からのリクエストを受け付けるポートを開き、続いて、ステップＳ８０２のリクエスト受付状態に入る。
【００７７】
そして、ステップＳ８０２１の判定の結果、リクエストが入力されたらステップＳ８０２２に進み、リクエストを受け付ける。次に、上記受け付けたリクエストの接続可否の判定をステップＳ８０３で行う。この判定の結果、接続否ならばステップＳ８０３１に進み、接続拒否のエラーコードを返し、その後、ステップＳ８０２に戻る。
【００７８】
一方、ステップＳ８０３の判定の結果、接続可ならば、ステップＳ８０４に進んで接続処理を行い、クライアントごとのセッションを識別するためのセッション識別子を生成するとともに、クライアントからのコマンドの受付処理を行うスレッドを生成する。また、接続リクエストを発行したクライアントのアクセス権情報などに則してクライアントの登録を行い、その後、ステップＳ８０２に戻る。
【００７９】
なお、この際、リクエスト内容がライブ映像への接続であり、かつ、映像の獲得と符号化を行うスレッドが休止状態ならば、ステップＳ８０２に戻る前に、動作開始を指示する。生成されたクライアント対応のスレッドでは、ステップＳ８０７で対応するクライアントからのコマンドの受付を行う。コマンドが届いたならば、それを受け付け、映像処理を行う主プログラムへ受け渡す。
【００８０】
主プログラムはステップＳ８０２でこれを受け、ステップＳ８０２１の判定の結果、操作コマンドに対してはステップＳ８０５へ進み、映像の獲得や符号化・送信などに関する設定の変更操作を行って、その結果（操作の成功か失敗を示すコード）をコマンド要求を受け付けたクライアント対応のスレッドへ伝える。
【００８１】
クライアント対応のスレッドはステップＳ８０８で、この結果をクライアントへ送り返す。主プログラム部分では、ステップＳ８０４からの映像の獲得と符号化を行うスレッドへの動作開始の指示により、ステップＳ８０６では前もって設定された時間間隔で映像データを、映像キャプチャボードを使って獲得し、これを圧縮データに変換する。さらに、この圧縮データを、ライブ映像に接続しているすべてのクライアント対応のスレッドに伝える（ステップＳ８０６１）。
【００８２】
各クライアント対応のスレッドはステップＳ８０９で、クライアントからの次映像フレーム送信要求の有無を判定し、要求があるならば、圧縮データをクライアントへ配送する。この際、禁止エリアが検出されている場合には、登録されているクライアント情報に照らして、特権ユーザの接続以外には、禁止エリアに該当しているため圧縮データを配信しない旨(禁止エリア検出通知)を通知する。
【００８３】
そして、ライブ映像に接続しているクライアント対応のスレッドが、クライアントからの次映像フレーム送信要求（これはクライアントでの圧縮映像データの受け取り完了に対して、送り返されるのが一般的である）を受け取った場合には映像フレーム送信要求のフラグを設定する。また、クライアントから接続終了のコマンドを受けたならば、それを主プログラムへ通達し、さらにステップＳ８１０で自身のスレッドを終了する。
【００８４】
図９は、携帯電話端末において、接続すべき第１及び第２のカメラサーバ１０１、１０２の識別子、ならびに、その第１及び第２のカメラサーバ１０１、１０２に指示するカメラ制御用のPTZシーケンスを作成する時の動作の流れを示すフローチャートである。ここで得られた第１及び第２のカメラサーバ１０１、１０２の識別子、ならびに、カメラ制御用のPTZシーケンスは、ステップＳ６０２へ送られる。
【００８５】
最初のステップＳ９０１で、携帯電話内に保持されているカメラ制御情報付き映像クリップを複数取得する。これらの映像クリップは、ネットワーク５０からのダウンロード、メールへの添付、あるいは、メモリカードからのコピー、などの経路から得られ携帯電話に保持されている。
【００８６】
続いて、ステップＳ９０２で、接続先となる第１及び第２のカメラサーバ１０１、１０２を指定するための映像クリップを選択する。典型的には、一つの映像クリップを選択する(図１５−（ａ）)。これを映像クリップAする。
【００８７】
続いて、ステップＳ９０３で、カメラ制御情報を抽出するための映像クリップを選択する(図１５−（ｂ）)。典型的には、映像クリップＡ，Ｂのうちのいずれか一つの映像クリップを選択するが、複数の映像クリップを選択して、それらの映像クリップに組み込まれたカメラ制御情報を組み合わせて利用してもよい。
【００８８】
複数の映像クリップを選択した場合には、その選択の順に、映像クリップB1〜映像クリップBnとする。そして、ステップＳ９０４で、上記で選択された映像クリップAに組み込まれたカメラ接続情報を取り出す。
【００８９】
例えば、映像クリップAの映像時系列に沿って、以下のようなカメラ制御情報が組み込まれていた場合、ここから抽出されるカメラ接続情報は、IPアドレスとして「202．228．185．20」、ポート番号として、「65310+65311」である。
【００９０】
映像クリップB1：
t=0．0秒．
http://clipserver1．com/runviewer?a=202．228．185．20、p=65310+65311、K3P-200T30Z50
t=1．2秒．
http://clipserver1．com/runviewer?a=202．228．185．20、p=65310+65311、P-80T45Z50
t=1．7秒．
http://clipserver1．com/runviewer?a=202．228．185．20、p=65310+65311、P40T60Z50
t=2．3秒．
http://clipserver1．com/runviewer?a=202．228．185．20、p=65310+65311、P10T150Z7
t=2．5秒．
http://clipserver1．com/runviewer?a=202．228．185．20、p=65310+65311、P10T150Z36
t=2．8秒．
(映像クリップA終了)．
【００９１】
続いて、ステップＳ９０５で、映像クリップB1〜映像クリップBnに組み込まれたカメラ制御情報から、カメラ制御用のPTZシーケンスを取り出す。例えば、映像クリップB1〜映像クリップB3の映像時系列(t=秒で示す)に沿って、それぞれ以下のようなカメラ制御情報が組み込まれていた場合(n=3の場合)、ここで抽出されるカメラ制御用のPTZシーケンスは、『HZ15_30S3_40S4_25P-10_20Z-15S3_15S4_40P-10_20H_3P10_1P5_1P5_1P5_1P5_1P5S4_10P-20_20H_5P-60_3P5_3P5_3P5』となる。なお、この中で、PTZシーケンスの構成要素は、図６のフローチャートを参照しながらしながら説明した通りである。
【００９２】
映像クリップB1：
t=0．0秒．
http://clipserver1．com/runviewer?a=162．61．5．22、p=6513+6514、HZ15
t=3．0秒．
http://clipserver1．com/runviewer?a=162．61．5．22、p=6513+6514、S3
t=7．0秒．
(映像クリップB1終了)．
【００９３】
映像クリップB2：
t=0．0秒．
http://clipserver1．com/runviewer?a=201．218．187．23、p=6513+6514、S4
t=2．5秒．
http://clipserver1．com/runviewer?a=201．218．187．23、p=6513+6514、P-10
t=4．5秒．
http://clipserver1．com/runviewer?a=201．218．187．23、p=6513+6514、Z-15S3
t=6．0秒．
http://clipserver1．com/runviewer?a=201．218．187．23、p=6513+6514、S4
t=10．0秒．
http://clipserver1．com/runviewer?a=201．218．187．23、p=6513+6514、P-10
t=12．0秒．
http://clipserver1．com/runviewer?a=201．218．187．23、p=6513+6514、H
t=12．3秒．
http://clipserver1．com/runviewer?a=201．218．187．23、p=6513+6514、P10
t=12．4秒．
http://clipserver1．com/runviewer?a=201．218．187．23、p=6513+6514、P5
t=12．5秒．
http://clipserver1．com/runviewer?a=201．218．187．23、p=6513+6514、P5
t=12．6秒．
http://clipserver1．com/runviewer?a=201．218．187．23、p=6513+6514、P5
t=12．7秒．
http://clipserver1．com/runviewer?a=201．218．187．23、p=6513+6514、P5
t=12．8秒．
http://clipserver1．com/runviewer?a=201．218．187．23、p=6513+6514、P5
(映像クリップB2終了)．
【００９４】
映像クリップB3：
t=0．0秒．
http://clipserver1．com/runviewer?a=150．122．43．154、p=6513+6514、S4
t=1．0秒．
http://clipserver1．com/runviewer?a=150．122．43．154、p=6513+6514、P-20
t=3．0秒．
http://clipserver1．com/runviewer?a=150．122．43．154、p=6513+6514、H
t=3．5秒．
http://clipserver1．com/runviewer?a=150．122．43．154、p=6513+6514、P-60
t=3．8秒．
http://clipserver1．com/runviewer?a=150．122．43．154、p=6513+6514、P5
t=4．1秒．
http://clipserver1．com/runviewer?a=150．122．43．154、p=6513+6514、P5
t=4．4秒．
http://clipserver1．com/runviewer?a=150．122．43．154、p=6513+6514、P5
(映像クリップB3終了)．
【００９５】
そして、ステップＳ９０６で、得られたカメラ接続情報とPTZシーケンスとを、ステップS６０２へと引渡し処理を終了する。上記の例では、ステップＳ６０４で、以下のような映像クリップ要求が生成される。
【００９６】
POST /getvideoclip/ HTTP/1．1
Host: 202．28．30．208:8080
User-Agent: MozilePhone/2．0 C2101V(c100)
Pragma: no-cache
videoencodeparam=QCIF:fps15．0:bps64000:intraframe5:me8
cameraservers=webview://202．228．185．20:65310+65311
PTZ=HZ15_30S3_40S4_25P-10_20Z-15S3_15S4_40P-
10_20H_3P10_1P5_1P5_1P5_1P5_1P5S4_10P-20_20H_5P-60_3P5_3P5_3P5
moviesizemax=240kbytes
notifyto=mailto:riyousha3@mailserver．usersite．co．jp
userid=331245
userpw=15215294
【００９７】
図１０は、第１及び第２のカメラサーバ１０１、１０２の用いる設定値、すなわち、カメラ制御サーバや映像サーバが読み出す動作設定情報を特定のファイル（ＯＳによってはレジストリなどのシステムデータベース）に設定する第１及び第２のカメラサーバ１０１、１０２の設定プログラムの表示画面の一例を示した図であり、カメラ制御サーバ１０１、１０２、映像変換サーバ４００、動画品質、接続制限事項などに関する各種のパラメータ（後述）を設定できるようになっている。ＯＫボタン１０００を押すと、設定した値が特定のファイルあるいはレジストリに書き込まれ、キャンセルすると書き込まれずに終了する。
【００９８】
図１１は、図１０の第１及び第２のカメラサーバ１０１、１０２の設定プログラムの動作を示すフローチャートである。
設定プログラムは起動時には、先ず、ステップＳ１１０１でカメラ制御サーバ及び映像サーバに関する設定情報を格納した特定のファイル（ＯＳによってはレジストリなどのシステムデータベース）から設定情報を読み出し、内部データに設定する。以降、ユーザの操作入力を受け取り、実施するループを繰り返す。
【００９９】
次に、ステップ１１０２でユーザの操作入力を待ち、入力があればそれを受け取り、続いてステップ１１０３で入力された値が適正範囲内であるかチェックし、そのチェック結果が適正であるか否かをステップＳ１１０３１で判定する。
【０１００】
ステップＳ１１０３１の判定の結果、適正でなければステップ１１０４でエラーメッセージを出力するとともに、値を戻してからユーザの入力待ちであるステップＳ１１０２へ戻る。
【０１０１】
また、ステップＳ１１０３１の判定の結果、適正範囲内であるならば、ステップＳ１１０３２に進み、内部データを更新してから、ステップＳ１１０２に戻る（ここで設定できる値には次の項目がある。
【０１０２】
すなわち、カメラ制御の通信用のTCPポート番号、カメラと接続するCOM（シリアル）ポート、シャッタースピード、カメラ制御関連のログ情報の有無とログファイル名、映像関連の通信用のTCPポート番号、ログ情報の有無とログファイル名、映像をキャプチャする時間間隔を規定するフレームレートと圧縮の品質を決めるQ-Factor、圧縮の元データの画面サイズ、１つのクライアントビューワ２００の最大接続時間、カメラ制御に関する制御権の順番待ち人数、１つのビューワ２００の制御権保持占有時間、映像とカメラ制御に関する接続可能な最大クライアント数など）。
【０１０３】
ユーザからの入力がＯＫボタンの場合には、ステップＳ１１０２からステップＳ１１０５に進み、更新された内部データをカメラ制御サーバ及び映像サーバに関する設定情報を格納する特定のファイルなどへ書き出す。
【０１０４】
次に、ステップＳ１１０６で変更を反映するために第１及び第２のカメラサーバ１０１、１０２を再起動するかを尋ねるパネルを出す。再起動する場合にはステップＳ１１０７でカメラ制御サーバや映像サーバなどを再起動して、ステップＳ１１０８で設定プログラムを終了する。再起動しない場合にはステップＳ１１０６から直接ステップＳ１１０８に進み、終了する。また、ステップＳ１１０２でのユーザの入力がキャンセルボタンである場合には、ステップＳ１１０２から直接ステップＳ１１０８に進み、処理を終了する。
【０１０５】
図１２は、映像変換サーバ４００における映像データの大まかな流れを、模式化した図である。第１及び第２のカメラサーバ１０１、１０２から送信されたソース映像データ(Motion JPEG、QVGAサイズ320x240)は、映像変換サーバ４００の第１及び第２のカメラサーバ１０１、１０２向け通信スタックを経由して受信され、JPEGデコーダに渡され、続いて、携帯電話向けに設定されたMPEG-4 エンコーダに渡され、携帯電話向け映像データ(MPEG-4 simpleprofile、 QCIFサイズ176x144、 64Kbps)に加工された上で、映像クリップとして、携帯電話網向けの通信スタックを経由して、携帯電話ビューワ２００へと送信される。
【０１０６】
図１３は、映像変換サーバ４００の動作を示したフローチャートである。
映像変換サーバ４００は、先ず、起動時にステップＳ１３０１で特定のファイル（ＯＳによってはレジストリなどのシステムデータベース）から映像変換サーバ４００の動作設定情報を読み出して、それに基づき動作を開始する。ここで、クライアントである携帯電話ビューワプログラムからのリクエストを受け付ける通信ポートを開き、続いて、ステップＳ１３０２のリクエスト受付状態に入る。
【０１０７】
リクエスト（HTTPリクエストのメッセージなど）が受け付けられたら、S1302を抜け、ステップＳ１３０３で接続の可否の判定を行う。この判定の結果、接続が否ならばステップＳ１３０３１に進み、接続拒否のエラーコードを返し、その後ステップＳ１３０２に戻る。
【０１０８】
また、ステップＳ１３０３の判定の結果、接続が可ならば、ステップＳ１３０４に進んで接続処理を行う。本実施の形態においては接続処理として、クライアントとの情報の受渡しを行うクライアント対応スレッドを生成し、クライアントの登録を行い、その後ステップＳ１３０２に戻る。
【０１０９】
上記ステップＳ１３０４で生成されたクライアント対応スレッドでは、ステップＳ１３１１で対応するクライアントからのリクエストを読み込み、内容を解析する。リクエストは、典型的には、HTTPリクエストとして、映像変換サーバ４００に渡される。なお、HTTPリクエストには、POSTメソッドが使われる場合もあり、GETメソッドが利用される場合もある。
【０１１０】
次に、ステップＳ１３１２で、リクエスト内容から、エンコードパラメータ情報(映像変換パラメータ)、第１及び第２のカメラサーバ１０１、１０２への接続情報(ソース映像情)、PTZシーケンス、映像クリップの最大サイズ(映像クリップ上限値)、通知先情報(通知先アドレス)、及び、ユーザ識別子やパスワードなどユーザ識別情報を取り出す。これらは、それぞれ『videoencodeparam=』『cameraservers=』『PTZ=』『moviesizemax=』『notifyto=』『userid=』『userpw=』の値として指示されている。
【０１１１】
映像変換パラメータは、変換用コーデックの選択やそのコーデックへのパラメータ、及び、コーデック入力用/出力用のデータ形式などを記述している。ソース映像情報とは、例えば、ライブ映像を提供する第１及び第２のカメラサーバ１０１、１０２のネットワークアドレスとポート番号などの通信属性情報である。通知先アドレスとは、典型的には、ユーザの携帯電話端末を指定したメイルアドレスである。
【０１１２】
次に、ステップＳ１３１３で、HTTPリクエストに対するHTTPレスポンスとして、『すぐに映像を生成できないので、しばらくしてメール連絡します』との旨を示す情報を返す。
次に、ステップＳ１３１４で、ソース映像情報及びユーザ識別情報に従って、映像取得部４００２を初期化する。具体的には、ソース映像を提供する第１及び第２のカメラサーバ１０１、１０２に接続し、ソース映像取得を開始する。
【０１１３】
そして、次にステップＳ１３１５に進み、映像変換パラメータに従って映像変換部４００３を初期化する。この映像変換部４００３は、MPEG-4エンコーダなどから構成される。そして、その後ステップＳ１３１６に進み、映像送信部４００４を初期化する。この際、映像送信部４００４に映像クリップ上限値、及び通知先アドレスを指示する。
【０１１４】
さらに、ステップＳ１３１７に進み、映像取得部４００２から映像変換部４００３へ、映像変換部４００３から映像送信部４００４へとそれぞれの処理データが受渡しされるように相互の関連付けを行った上で、カメラ制御部が、PTZシーケンスにしたがって第１及び第２のカメラサーバ１０１、１０２のカメラ制御を行う。
次に、ステップＳ１３１８に進み、映像取得部４００２、映像変換部４００３、映像送信部４００４の後処理を行う。次に、ステップＳ１３１９に進み、クライアント対応スレッドを終了する。
【０１１５】
次に、映像変換サーバ４００の中で機能している映像取得部４００２、映像変換部４００３、映像送信部４００４、カメラ制御部について順次説明する。
映像取得部４００２は、先ず、初期化時に受け取ったソース映像情報及びユーザ識別情報に従って、ライブ映像を提供する第１及び第２のカメラサーバ１０１、１０２に接続する。そして、カメラサーバから映像データを取得し、取得時のタイムスタンプを付与して映像データを映像変換部４００３へ渡す。本実施の形態における第１及び第２のカメラサーバ１０１、１０２は、映像データをMotion JPEG形式で提供するので、タイムスタンプが付与されるのは、個々のJPEGデータである。また、第１及び第２のカメラサーバ１０１、１０２から禁止エリア検出を通知された場合には、映像データに代えて禁止エリア検出通知を映像変換部４００３へ渡す。
【０１１６】
次に、映像変換部４００３では、先ず、初期化時に受け取ったコーデックへのパラメータ、及び、コーデック入力用/出力用のデータ形式などをMPEG-4エンコーダに設定する。そして、映像取得部４００２から受け取ったソース映像データを、コーデック入力用のデータ形式及び画像サイズに整えてからMPEG-4エンコーダに入力し、その処理結果を、映像送信部４００４へ渡す。本実施の形態における映像変換部４００３では、JPEG形式のソース映像データを、予め、QCIFサイズかつYUV411形式に整えてからMPEG-4コーデックへ入力し、生成されたMPEG-4データ(I-frameまたはP-frame)を映像送信部４００４へ受け渡す。この際、映像取得部４００２で付与されたタイムスタンプも併せてMPEG-4コーデックへ入力される。
【０１１７】
なお、映像取得部４００２から禁止エリア検出が通知されている場合には、カメラ制御を制限された領域であって映像を表示できない旨を示す合成画面を、ソース映像データに代えて、MPEG-4コーデックへ入力する。
【０１１８】
次に、映像送信部４００４では、先ず、初期化時に受け取った映像クリップ上限値にしたがってメモリ領域を確保する。そして、映像変換部４００３が生成した携帯電話向け映像データを受取り、確保したメモリ領域に保持する。
【０１１９】
さらに、映像送信部４００４では、禁止エリア検出通知を受け取った時点で、メモリ領域の利用率をも加味した上で、映像クリップの分割点を決定する。そして、分割点と判断した場合には、携帯電話向け映像クリップのデータフォーマットに準拠したヘッダー情報を前置して、メモリ領域に保持している映像データをファイルとして保存し、メモリ領域を再利用する。これによって、映像クリップが複数のファイルに分割保存される。
【０１２０】
また、映像送信部４００４では、映像取得部４００２で得られるカメラ制御状態情報を受け取り、時間軸に沿って保持する。そして、予め設定されている時間周期でカメラ制御状態情報から、カメラ制御状態情報に相当するカメラ制御シーケンス(PTZシーケンス)を生成して、そのPTZシーケンスをパラメータとする専用ビューワ２００の起動支持をリンク情報として映像クリップに組み込む。
【０１２１】
典型的には、隣接するカメラ制御状態情報の差分からPTZシーケンスを構成するが、PTZシーケンス初期値を指定する場合やプリセット位置やホームポジションなどと一致する場合には、絶対値指定を指示する。この際、図１４に示すように、ある映像データの区間(映像セグメント)に対応するリンク情報には、時間軸を逆方向に過剰な長さのカメラ制御シーケンスを割り当てる。すなわち、映像クリップ中で隣接するリンク情報には、重複したカメラ制御シーケンスが冗長に割り当てられることになる。
【０１２２】
そして、カメラ制御部からPTZシーケンスの終了を通知された時点で、メモリ領域に保持している映像データの残りを同様にファイルとして保存した上で、それまでに保存している複数の映像クリップへのリンク情報を埋め込んだ携帯電話端末への通知情報を作成し、初期化時に受け取った通知先アドレスへ通知する。これによって、通知情報を受け取った携帯電話端末から各映像クリップへのダウンロード要求を可能とする。なお、映像送信部４００４は、HTTPサーバ機能を備えており、携帯電話端末からのHTTP利用の映像クリップのダウンロード要求に対応する。
【０１２３】
次に、カメラ制御部では、PTZシーケンスを解釈して、第１及び第２のカメラサーバ１０１、１０２に送るべきカメラ制御コマンドを作成し、PTZシーケンスに指示されたタイミングで作成したカメラ制御コマンドを第１及び第２のカメラサーバ１０１、１０２に送信することで、第１及び第２のカメラサーバ１０１、１０２のカメラ制御を行う。そして、PTZシーケンスを解釈し終えた時点で、PTZシーケンスの終了を映像送信部４００４に通知する。
【０１２４】
以上の構成で、携帯電話端末６０１、６０２上に実装された映像クリップビューワ２００を使うユーザは、映像変換サーバ４００に映像クリップを要求することができる。そして、映像変換サーバの機能により、映像クリップが作成された時点のカメラ制御状態情報を、映像クリップ再生ユーザが利用可能となる。
【０１２５】
特に、本実施の形態の映像クリップビューワ２００では、複数の映像クリップを管理して、ある映像クリップAに別の映像クリップBを適用することで、映像クリップAの映像ソースである第１及び第２のカメラサーバ１０１、１０２に接続した上で、映像クリップBに含まれるカメラ制御情報を用いてカメラ制御し、適用時点での第１及び第２のカメラサーバ１０１、１０２のライブ映像を取得する点に特徴がある。
【０１２６】
本実施の形態では、映像変換サーバ４００を介して第１及び第２のカメラサーバ１０１、１０２へ間接的にアクセスする例について説明しているが、ビューワ２００は、ステップ６０２で得られた情報(カメラ接続情報ならびにカメラ制御情報)に基づいて、直接第１及び第２のカメラサーバ１０１、１０２へアクセスしてもよい。
【０１２７】
本実施の形態では、携帯電話網とネットワーク５０とを結ぶゲートウェイとは独立に、ネットワーク５０上に映像変換サーバ４００が実装される例について説明しているが、映像変換サーバが、ゲートウェイの一部として実装されてもよい。また、映像変換サーバとゲートウェイとが、VPN(Virtual Private Network)なども含めて専用線で接続されるような接続形態も容易に想像できる。
【０１２８】
また、本実施の形態では、HTTP通信を用いて、携帯電話ビューワ２００と映像変換サーバとが通信する例について説明しているが、この通信は、SMTP (Simple Mail Transfer Protocol) を用いた通信であってもよい。また、携帯電話ビューワ２００と映像変換サーバ４００とのHTTP通信やSMTP通信は、SSL(Secure Socket Layer)などの併用により、安全な通信経路を利用してもよい。
【０１２９】
[第２の実施の形態]
本実施の形態は、携帯電話ではなくPC環境でドラッグアンドドロップで適用する場合について説明する。
【０１３０】
第２の実施の形態では、第１の実施の形態同様、インターネット上に配置されたカメラサーバから取得したライブ映像を映像クリップに変換して送信する例について説明する。特に、本実施の形態では、接続先カメラサーバ１０１、１０２、ならびに、そのカメラサーバに要求するカメラ制御コマンドの抽出元となる映像クリップを、携帯電話端末に代えて、PCなど制約の少ないコンピュータを用いて選択する点に特徴がある。
【０１３１】
本実施の形態では、ネットワーク５０の接続形態やハードウェア構成、及び、各ソフトウェアの動作の多くは、第１の実施の形態で説明した通りである。ただし、図９で示した映像クリップビューワ２００の動作が、第１の実施の形態と異なる。
【０１３２】
本実施の形態では、映像クリップビューワ２００がPCなどの制約の少ない環境上で動作しており、GUIを用いた操作によって、映像クリップの選択ならびに再生制御が行われる点で、第１の実施の形態と異なる。
【０１３３】
図１６は、第２の実施の形態の映像クリップビューワ２００の映像クリップ選択処理の動作の流れを示すフローチャートである。
図１６に示したように、最初のステップＳ１６０１で、パーソナルコンピュータ内に保持されているカメラ制御情報付き映像クリップを複数取得する。これらの映像クリップは、ネットワーク５０からのダウンロード、メールへの添付、あるいは、メモリカードからのコピー、などの経路からPC内のビューワ２００へ取得される。
【０１３４】
続いて、ステップＳ1６０２で、カメラ制御情報を抽出するための映像クリップを選択する。典型的には、一つの映像クリップを選択するが、複数の映像クリップを選択して、それらの映像クリップに組み込まれたカメラ制御情報を連続して利用してもよい。これらを映像クリップB1〜映像クリップBnとする。
【０１３５】
続いて、ステップＳ１６０３では、接続先となる第１及び第２のカメラサーバ１０１、１０２を指定するための映像クリップ(映像クリップA)を選択する。典型的には、ステップＳ1６０２で選択した映像クリップB1〜映像クリップBnを、映像クリップAへドラッグアンドドロップする(図１７)。
【０１３６】
そして、ステップＳ１６０４で、上記で選択された映像クリップAに組み込まれたカメラ接続情報を取り出す。続いて、ステップＳ１６０５で、映像クリップB1〜映像クリップBnに組み込まれたカメラ制御情報から、カメラ制御用のPTZシーケンスを取り出す。そして、ステップＳ１６０６で、得られたカメラ接続情報とPTZシーケンスとを、映像クリップビューワ２００の本体処理へと引渡し処理を終了する。
【０１３７】
以上の構成で、パーソナルコンピュータなどコンピュータ上に実装された映像クリップビューワ２００を使うユーザは、映像変換サーバ４００に映像クリップを要求することができる。そして、映像変換サーバ４００の機能により、映像クリップが作成された時点のカメラ制御状態情報を、映像クリップ再生ユーザが利用可能となる。
【０１３８】
本実施の形態では、映像クリップから抽出したカメラ制御情報を、再び映像クリップを作成するために利用しているが、これは、映像クリップの作成に限定されない。例えば、抽出したカメラ制御情報のPTZシーケンスを利用して、ライブ映像配信中の第１及び第２のカメラサーバ１０１、１０２を制御することも容易に想像できる。例えば、ライブ映像配信中のビューワ２００に、映像クリップをドラッグアンドドロップする操作によって実現してもよい。
【０１３９】
さらに、ライブ映像配信中の第１及び第２のカメラサーバ１０１、１０２の制御に用いる場合には、抽出したカメラ制御情報のPTZシーケンスによる自動制御に加えて、ユーザが自動制御に割り込んで、カメラ制御用のPTZシーケンスを、早送り、逆送り、停止、再生など操作することが考えられる。あるいは、自動制御を一時停止して、ユーザの好みに応じて、PTZシーケンスを手動制御してもよい(図１８)。この場合、ユーザ操作によるライブ制御と、PTZシーケンスによる自動制御とを、相互に排他制御するような実施も容易に想像できる。
【０１４０】
（本発明の他の実施の形態）
上述した実施の形態の機能を実現するべく各種のデバイスを動作させるように、上記各種デバイスと接続された装置あるいはシステム内のコンピュータに対し、上記実施の形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【０１４１】
また、この場合、上記ソフトウェアのプログラムコード自体が上述した実施の形態の機能を実現することになり、そのプログラムコード自体、およびそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１４２】
また、コンピュータが供給されたプログラムコードを実行することにより、上述の実施の形態の機能が実現されるだけでなく、そのプログラムコードがコンピュータにおいて稼働しているＯＳ（オペレーティングシステム）あるいは他のアプリケーションソフト等と共同して上述の実施の形態の機能が実現される場合にもかかるプログラムコードは本発明の実施の形態に含まれる。
【０１４３】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【図面の簡単な説明】
【０１４４】
【図１】本発明を適用した実施の形態の典型的な利用形態を示した図である。
【図２】映像変換サーバのハードウェア構成の一例を示した構成図である。
【図３】カメラサーバのハードウェア構成の一例を示した構成図である。
【図４】ビューワを動作させるハードウェア構成の一例を示した構成図である。
【図５】プログラムの構成する部分を模式化した図である。
【図６】携帯電話における映像クリップビューワの動作の流れを示すフローチャートである。
【図７】カメラサーバ内のカメラ制御サーバの動作を示したフローチャートである。
【図８】カメラサーバ内の映像サーバの動作を示したフローチャートである。
【図９】携帯電話端末上でカメラサーバ識別子ならびにカメラ制御情報を作成する動作を示したフローチャートである。
【図１０】カメラサーバの設定画面例を示した図である。
【図１１】カメラサーバの設定プログラムの動作を示すフローチャートである。
【図１２】映像変換サーバ４００における映像データの流れを模式化した図である。
【図１３】映像変換サーバの動作を示したフローチャートである。
【図１４】ライブ映像ビューワの流れを示すフローチャートである。
【図１５】携帯電話端末上で映像クリップ選択画面例を示した図である。
【図１６】第２の実施の形態の映像クリップ選択処理の動作の流れを示すフローチャートである。
【図１７】第２の実施の形態を示し、ドラッグアンドドロップ画面の一例を示した図である。
【図１８】第２の実施の形態を示し、自動制御割り込み時の画面の一例を示した図である。
【符号の説明】
【０１４５】
５０  ネットワーク
１０１  第１のカメラサーバ
１０２  第２のカメラサーバ
２００  ビューワ
３００  中継サーバ
４００  映像変換サーバ
５００  ゲートウェイ
５５０  携帯電話回線網
６０１  第１の携帯電話端末
６０２  第２の携帯電話端末
【図１】
2005341396.tif 000003
【図２】
2005341396.tif 000004
【図３】
2005341396.tif 000005
【図４】
2005341396.tif 000006
【図５】
2005341396.tif 000007
【図６】
2005341396.tif 000008
【図７】
2005341396.tif 000009
【図８】
2005341396.tif 000010
【図９】
2005341396.tif 000011
【図１０】
2005341396.tif 000012
【図１１】
2005341396.tif 000013
【図１２】
2005341396.tif 000014
【図１３】
2005341396.tif 000015
【図１４】
2005341396.tif 000016
【図１５】
2005341396.tif 000017
【図１６】
2005341396.tif 000018
【図１７】
2005341396.tif 000019
【図１８】
2005341396.tif 000020